(57)【要約】【課題】バンパーのコーナー部の形状が種々異なっても作業性よく梱包でき、梱包された状態で変形し難いバンパー用の梱包材を提供する。【解決手段】梱包材は、角筒状に折り込んでバンパー２００の本体部２０１を包み込む本体カバー１０１と、本体カバー１０１の左右両端に延設されて、コーナー部２０１を包み込むコーナーカバー１０２とからなる。コーナーカバー１０２は先端へ行くにつれて外側へ広がる形状としており、梱包済みのバンパー２００を前後方向に重ね合わせることができる。コーナーカバー１０２は、先端カバー片２１が延設された側面片１１と、重合片１４と縁部カバー片１８が延設された上面片１２と、重合片１５と縁部カバー片１９が延設された下面片１３とで構成し、バンパーコーナー部の先端の梱包は、縁部カバー片１８、１９と先端カバー片２１を背面へ折り込んで係止する。【選択図】  図１
2006219156.tif 000002
【特許請求の範囲】
【請求項１】
バー状の本体部の両端に湾曲状のコーナー部を有するバンパーの梱包材であって、角筒状に折り込んでバンパーの本体部を包み込む本体カバーと、該本体カバーの左右両端に延設されて、該コーナー部を包み込むコーナーカバーとからなり、コーナーカバーを先端へ行くにつれて外側へ広がる形状として、梱包済みのバンパーを前後方向に重ね合わせられるようにした段ボール製のバンパー用の梱包材において、該コーナーカバーは、バンパーのコーナー部の側面を覆う側面片１１と、側面片１１の上下両縁部に延設されてコーナー部の上面および下面を覆う上面片１２および下面片１３とを備え、かつ、該コーナー部先端を包み込んで固定するため、該コーナー部先端の背面へ折り畳まれる縁部カバー片１８，１９および先端カバー片２１を上面片１２、下面片１３および側面片１１にそれぞれ延設するとともに、縁部カバー片１８，１９を先端カバー片２１にそれぞれ係止可能とし、さらに、該コーナー部を覆った状態を固定させるため、互いに重なり合って該角筒状の本体カバーの端部に嵌合する重合片１４，１５を上面片１２および下面片１３にそれぞれ延設したことを特徴とするバンパー用の梱包材。
【請求項２】
重合片１４にバンパーの幅方向へ折り曲げる折目Ｄを設け、折り込んだとき重合片１４の幅方向両端を角筒状の本体カバーの上側片２と下側片４に当接させ、本体カバーの変形を防止するようにしたことを特徴とする請求項１記載のバンパー用の梱包材。
【発明の詳細な説明】
【技術分野】
【０００１】
本発明は、両端に湾曲したコーナー部を一体に形成したバンパー用の梱包材に係わり、特に、梱包済みのバンパーを前後方向に重ね合わせ可能な段ボール製の梱包材に関するものである。
【背景技術】
【０００２】
バンパー は、自動車の車体の前面または後面の幅方向に延びる本体部と、この本体部から自動車の側面に回り込む湾曲したコーナー部とが一体に成形されている。このため、単純な直方体状の包装箱に収納したのでは外形が大きくなり材料の無駄も多いので、一般にはバンパーの本体部を包み込む角筒状の本体カバーの両側端に、箱形のコーナーカバーを連設し、上面視が長細いコ字状に梱包している。しかし、これは、梱包済みのバンパー同士の保管や輸送時に、かなりのデッドスペースが生じる。
【０００３】
そこで、出願人は、梱包済みのバンパー同士を前後方向に重ね合わせられるバンパー用の梱包材を先に開発した（特許文献１）。
この梱包材は、本体カバーの両端に延設するコーナーカバーを、先端へ行くにつれて外側へ広がる形状、すなわち、梱包済みのバンパーをその前面を下にして置いたとき舟形状になるようにし、図１０に示すような重ね合わせを可能としている。
【０００４】
【特許文献１】特開２００４−９１０２６号公報
【発明の開示】
【発明が解決しようとする課題】
【０００５】
上記特許文献１のバンパー用の梱包材は、梱包済みのバンパー同士を保管や輸送するときに重ね合わせることができ、また、梱包作業もバンパーの外形に沿って折り込むだけであるので簡便で短時間に行える。
【０００６】
しかしながら、同公報に記載の実施例の梱包材は、バンパーのコーナー部の上縁部分が突起状になっているものに適用したもので、例えば突起状の位置が上縁以外であったり、突起がないものについては、記載されてない。また、コーナーカバー先端部の梱包が、作業性および係止手段において改良すべき点があった。さらに、角筒状の本体カバーは横方向の負荷に対し、菱形状に変形し易いという難点もあった。
【０００７】
本発明は、上記の点に鑑みなされたもので、バンパーのコーナー部の形状が種々異なっても作業性よく梱包でき、梱包された状態で変形し難いバンパー用の梱包材を提供することを目的としている。
【課題を解決するための手段】
【０００８】
上記の目的を達成するため、本発明のバンパー用の梱包材は、次の手段を採った。すなわち、バー状の本体部の両端に湾曲状のコーナー部を有するバンパーの梱包材であって、角筒状に折り込んでバンパーの本体部を包み込む本体カバーと、該本体カバーの左右両端に延設されて、該コーナー部を包み込むコーナーカバーとからなり、コーナーカバーを先端へ行くにつれて外側へ広がる形状として、梱包済みのバンパーを前後方向に重ね合わせられるようにした段ボール製のバンパー用の梱包材において、該コーナーカバーは、バンパーのコーナー部の側面を覆う側面片１１と、側面片１１の上下両縁部に延設されてコーナー部の上面および下面を覆う上面片１２および下面片１３とを備え、かつ、該コーナー部先端を包み込んで固定するため、該コーナー部先端の背面へ折り込まれる縁部カバー片１８，１９および先端カバー片２１を上面片１２、下面片１３および側面片１１にそれぞれ延設するとともに、縁部カバー片１８，１９を先端カバー片２１にそれぞれ係止可能とし、さらに、該コーナー部を覆った状態を固定させるため、互いに重なり合って該角筒状の本体カバーの端部に嵌合する重合片１４，１５を上面片１２および下面片１３にそれぞれ延設したことを特徴としている。
【０００９】
本体カバーおよびコーナーカバーは、別体で切断および切れ目や折目を加工し、バンパーを梱包する前に貼着して一体にするのがよい。
バンパーのコーナーを覆うコーナーカバーは、側面片１１、上面片１２および下面片１３からなり、先端部は縁部カバー片１８、縁部カバー片１９および先端カバー片２１で背面へ包み込んで係止する。側面片１１はコーナー部の湾曲した側面に沿うように１個以上の折目Ａを設けるとよい。
【００１０】
バンパーコーナー部の先端の梱包は、縁部カバー片１８、１９と先端カバー片２１を背面へ折り込んで係止する。バンパーコーナー部の先端は種々の形状のものがあるが、できるだけ多くのものに適用できるように、縁部カバー片１８、１９は、ほぼ矩形状に折り込むようにするのがよい。なお、縁部カバー片１８，１９の先端カバー２１への係止はそれぞれ１カ所でもよいが、バンパーコーナー部の先端の下面側は車体との取り付けのための突出した取付部材が付設されているものと、無いものがあるので、いずれも包み込めるように縁部カバー片１９は平行折目Ｇを設け、先端カバー片２１への係止は複数箇所とするのが望ましい。また、縁部カバー片１８，１９は先端カバー２１の別々の位置へそれぞれ係止するようにしてもよいし、先端カバー２１の一カ所へ係止するようにしてもよい。
【００１１】
一方、コーナーカバーの本体カバーとの連結部は、上面片１２および下面片１３にそれぞれ延設されて、互いに係止状態で重なり合って該角筒状の本体カバーの端部に嵌合する重合片１４および１５とによる。重合片１４は、請求項２に記載のように、バンパーの幅方向に折り曲げる折目Ｄを設け、折り込んだときに重合片１４の幅方向両端が角筒状の本体カバーの上側片２と下側片４に当接するようにするとよい。
【発明の効果】
【００１２】
以上説明したように、本発明のバンパー用の梱包材は、本体カバーに連接されるコーナーカバーを、先端カバー片２１が延設された側面片１１と、重合片１４と縁部カバー片１８が延設された上面片１２と、重合片１５と縁部カバー片１９が延設された下面片１３とで構成し、バンパーコーナー部の先端の梱包は、縁部カバー片１８、１９と先端カバー片２１を背面へ折り込んで係止するようにしたので、コーナー部の形状が種々のものに対しても作業性よく梱包することができる。
【００１３】
また、請求項２に記載のように、重合片１４にバンパーの幅方向へ折り曲げる折目Ｄを設け、折り込んだとき重合片１４の幅方向両端を角筒状の本体カバーの上側片２と下側片４に当接されるようにすれば、本体カバーが菱形に変形することがなく取り扱い易いものとなる。
【発明を実施するための最良の形態】
【００１４】
本発明の実施の形態を、添付図面に示した本発明の実施例に基づいて以下に具体的に説明する。
【実施例】
【００１５】
本発明のバンパー用の梱包材の実施例について図１〜図７に基づいて説明する。
バンパー２００は、図３に一部を示すように、バー状の本体部２０１の両端に湾曲状のコーナー部２０２を有している。なお、コーナー部２０２の先端の形状は種々あるが、ここでは、上側寄りに丸みがあり、下側に車体への取付用の突出した取付部材２０２ａのあるものを一例として示している。
【００１６】
バンパー用の梱包材は、図１に示す形状に裁断された３枚の段ボール、すなわち、バンパー２００の本体部２０１を包み込む本体カバー１０１と、両端のコーナー部２０２をそれぞれ包み込むコーナーカバー１０２とから構成されている。
【００１７】
本体カバー１０１は、ほぼ矩形であり、前面片１、上側片２、蓋片３、下側片４および蓋閉片５となるように平行な折目が設けられている。そして、本体カバー１０１を折り込んだときは角筒状となり、前面片１はバンパー２００の本体部２０１の前面を覆い、上側片２および下側片４はそれぞれ上面および下面を覆い、蓋片３は裏面を覆う。
蓋片３には角筒状に折り込んだ状態を固定させるための掛止突片６が突設されており、これを挿嵌するスリット７が蓋閉片５に設けられている。
また、本体カバー１０１の強度を高めるため、上側片２および下側片４の左右両端には重合片２ａおよび重合片４ａが設けられ、それぞれ上側片２および下側片４に折り畳んで貼着される。また、前面片１の左右両端には糊代片１ａが設けられ、コーナーカバー１０２に貼着される。
【００１８】
コーナーカバー１０２は、左右対称形であるので、左側のものについて拡大した図２で説明する。
コーナーカバー１０２は、バンパー２００のコーナー部２０２の湾曲した側面を覆うための側面片１１に、上面を覆う上面片１２と、下面を覆う下面片１３とが、それぞれ折目Ｂ，Ｃを介して延設されている。
側面片１１は、コーナー部２０２の湾曲した側面に沿わせるため、その長手方向の中程に折目Ａが設けられている。ここでは折目Ａから右側の部分（本体カバー１０１側）を第１斜面１１ａ、左側の部分を第２斜面１１ｂと称することにする。第２斜面１１ｂには折目Ｈを介して先端カバー片２１が延設されている。なお、第１斜面１１ａの端部は本体カバー１０１の前面片１の側端の糊代片１ａに貼着される。
【００１９】
バンパー２００のコーナー部２０２は、一般に、図３に示すように、その側端部分が、先端に向けて上向きに傾斜している。ここでは、この傾斜形状に対応させるべく、第２斜面１１ｂの上下方向の巾寸法（折目Ａの長さ）を第１斜面１１ａの端部の巾寸法（前面片１の巾寸法と同じ）より狭くしている。すなわち、第１斜面１１ａの下縁側ｄは斜めに切断されている。
【００２０】
上面片１２は、第２斜面１１ｂに折目Ｂを介して延設され、これには、折目Ｍを介して重合片１４が、また、折目Ｊを介して縁部カバー１８が延設されている。
上面片１２の形状は、第１斜面１１ａおよび第２斜面１１ｂが、コーナー部２０２の湾曲面に沿うように傾斜して切断されている。そして、図２において示す仮想線ｅから先の部分は、本体カバー１０１の上側片２と重なり合う重合部分１２ａとしている（図４参照）。重合片１４は、ほぼ矩形状で、複数本の平行な折目Ｄ（図１では２本）と、この折目Ｄに平行な折目Ｅが設けられている。
【００２１】
下面片１３は、第２斜面１１ｂに折目Ｃを介して延設され、これには、折目Ｌを介して重合片１５が、また、平行折目Ｇを介して縁部カバー１９が延設されている。
下面片１３の形状は、上面片１２と同様に傾斜して切断されている。そして、折目Ｆを設け、これから先を下側片４と重なり合う重合部分１３ａとしている。
【００２２】
上面片１２および下面片１３の重合部分１２ａ，１３ａと、これに延設された重合片１４，１５は、水平向きに折り曲げて、互いに重ね合わされ、本体カバー１０１を折り込んだときの角筒とほぼ同じ寸法になる（図４参照）。この重合状態を固定させるため、重合片１４には切起状に形成される掛止片１６が設けられ、重合片１５には、これを係合させるための掛止孔１７が設けられている。
【００２３】
上面片１２および下面片１３に延設された縁部カバー１８，１９と、側面片１１に延設された先端カバー片２１は、バンパー２００のコーナー部２０２の先端部を包み込むための部材として設けられている。
縁部カバー１８は、上面片１２の先端側に折目Ｂと平行な折目Ｊを介して延設され、端部に係止片１８ａが突設されている。また、縁部カバー１９は、下面片１３の先端側に折目Ｃと平行な平行折目Ｇを介して延設され、重合片１５とは切れ目ｇ，ｈで切り離され、また、折目Ｌの延長上に切れ目ｍが設けられている。そして、縁部カバー１９には２個のコ字形切れ目ｆが設けられ、また、端部には係止片１９ａが突設されている。
【００２４】
先端カバー片２１は折目Ｋが折目Ｈに平行に設けられ、線上には縁部カバー片１８の係止片１８ａと係合するスリット２１ｃが設けられている。また、縁部カバー片１９の係止片１９ａと係合する係止孔２１ａが設けられている。なお、係止孔２１ａは２個設けられており、コーナー部２０２の下面の形状によって使い分けができるようにしている。
さらに、先端カバー片２１の端部には、縁部カバー片１９のコ字形切れ目ｆと係合する係止片２１ｂが設けられている。このコ字形切れ目ｆも２個設けられており、係止片１９ａがいずれの係止孔２１ａと係止するかによって自動的に使用される側が決まる。
【００２５】
次に、このように構成された梱包材の作用について説明する。
まず、本体カバー１０１とコーナーカバー１０２は別個に製作され、使用するときに上側片２および下側片４の左右端の重合片２ａ，４ａを折り畳んで貼着し、本体カバー１０１の前面片１の左右の糊代片１ａに側面片１１の一端を貼着し一体とする。
そして、図３に示すように、バンパー２００をその前面側を下向きにして本体カバー１０１の前面片１に、本体部２０１が位置するように載置する。
【００２６】
続いて、図４に示すように、コーナーカバー１０２の上面片１２および下面片１３の折目Ｂ，Ｃを折り曲げて立ち上がらせ、それぞれに延設されている重合片１４および１５を、折り曲げ、重合片１５を上にして掛止片１６を掛止孔１７に係止させる。そして、重合片１４の折目Ｄ，Ｅを内側へ折り込む。
【００２７】
続いて、図５に示すように、本体カバー１０１を、バンパー２００の本体部２０１を包み込むようにして角筒状に折り込んで、掛止突片６をスリット７に挿嵌させる。
これにより、重合部分１２ａ，１３ａと重合片１４，１５で組立られたコーナーカバー１０２の基端部は本体カバー１０１の端部に包み込まれて固定される。そして、折目Ｄ，Ｅで内側へ折り込まれた重合片１４の一部の両端が本体カバー１０１の上側片２と下側片４に当接する（この部分は図７参照）。これにより、角筒状の本体カバー１０１の蓋片３に幅方向の力がかかっても菱形に変形することはない。
【００２８】
次に、縁部カバー片１８の折目Ｊを折り曲げてコーナー部２０２の先端部の上縁部分を包み込み、縁部カバー片１９の平行折目Ｇを折り曲げて先端部の下縁部分を包み込み、さらに、先端カバー２１の折目Ｋを折り曲げる。なお、コーナー部２０２の下面側には取付部材２０２ａが突出しているので、これを包み込むため、平行折目Ｇを折り込んで背面側へ突出するようにする。
そして、縁部カバー片１８の係止片１８ａを先端カバー２１のスリット２１ｃに挿嵌させ、縁部カバー片１９の係止片１９ａを先端カバー２１の下面片１３寄りの係止孔２１ａに係止させるとともに、係止片２１ｂを外寄りのコ字形切れ目ｆに挿嵌させて係止する。なお、側面片１１の第１斜面１１ａの下縁側ｄは先細りにしているので、コーナー部２０２の形状が多少相異していても、複数条の平行折目Ｇの折り込み方を、上記の形状に合わせて自由に変えることができる。
【００２９】
続いて、右側のコーナー部２０２も、上記と同様にして、右側のコーナーカバー１０２によって包み込む。これで、梱包作業は完了し、図６に示す舟形状となり、図１０で示した従来のものと同様に重ね合わせることが可能である。
【００３０】
一方、バンパー２００のコーナー部２０２に取付部材２０２ａが付設されていない場合は、縁部カバー片１９の係止片１９ａを先端カバー２１の中央側の係止孔２１ａに係止させるとともに、係止片２１ｂを内側のコ字形切れ目ｆに挿嵌させて係止する。梱包が完了すると図７に示す状態となる。
【００３１】
次に、バンパー２００のコーナー部２０２の先端を包み込んで固定する別の実施例を図８および図９に基づいて説明する。図８は、上記の実施例の図５に、図９は同じく図６に対応するものであり、基本的な構成は同様であるので、符号も同じものを使用し、相違する点についてのみ説明する。
まず、縁部カバー片１８は縁部カバー片１９と十分に重ね合わせられるように大きなものとし、係止片１８ａは折り込んだとき先端カバー２１の係止孔２１ａに係止するように設けている。そして、側面には先端カバー２１の係止片２１ｂに係止する切欠１８ｂが形成されている。
【００３２】
縁部カバー片１９は、コ字形切れ目ｆを１個としたほかは、上記の実施例のものと同じである。また、先端カバー２１は（図５における）スリット２１ｃを廃止し、係止孔２１ａを１個にしたほかは上記の実施例のものと同じである。
【００３３】
このように構成されているので、バンパー２００のコーナー部２０２の先端を梱包するときは、上記の実施例の場合と同様に、縁部カバー片１８の折目Ｊを折り曲げて先端部の上縁部分を包み込み、続いて縁部カバー片１９の平行折目Ｇを折り込んで取付部材２０２ａの付設された先端部の下縁部分を包み込む。そして、先端カバー２１の折目Ｋを折り曲げて、縁部カバー片１８の係止片１８ａと、縁部カバー片１９の係止片１９ａを先端カバー２１の係止孔２１ａに係止させるとともに、係止片２１ｂをコ字形切れ目ｆと切欠１８ｂに挿嵌させて係止する。これで梱包が完了し図９の状態となる。
この実施例のものは、バンパー２００のコーナー部２０２の先端が上記の実施例のものに比べ強固に梱包され、しかも、梱包作業がし易いという効果がある。
【００３４】
なお、上記二つの実施例では、バンパー用の梱包材を、所定の形状に裁断した３枚の段ボールから折上げたもので説明したが、重合片２ａ，４ａを付設しないで前面片１に側面片１１を延設した１枚の段ボールとしてもよい。
【図面の簡単な説明】
【００３５】
【図１】本発明のバンパー用の梱包材の一実施例を示す平面図である。
【図２】同、コーナーカバーの拡大図である。
【図３】同、梱包材の上にバンパーを載置した状態を示す部分斜視図である。
【図４】同、上面片と下面片を立ち上げて重合片を水平向きに重ね合わせた状態の部分斜視図である。
【図５】同、本体カバーの部分を角筒状に折り込んだ状態の部分斜視図である。
【図６】同、バンパーのコーナー部の先端部を、先端カバー片および縁部カバー片で包み込み、梱包を終えた状態の部分斜視図である。
【図７】同、コーナー部に取付部材２０２ａが付設されていない場合の梱包を終えた状態の部分斜視図である。
【図８】本発明のバンパー用の梱包材の別の実施例を示すもので、本体カバーの部分を角筒状に折り込んだ状態の部分斜視図である。
【図９】同、バンパーのコーナー部の先端部を、先端カバー片および縁部カバー片で包み込み、梱包を終えた状態の部分斜視図である。
【図１０】従来のバンパー用梱包材を示すもので、バンパーを梱包し前面側を下向きにして、重ね積みした状態の部分斜視図である。
【符号の説明】
【００３６】
１０１  本体カバー
１０２  コーナーカバー
２００  バンパー
２０１  本体部
２０２  コーナー部
２０２ａ  取付部材
１  前面片
１ａ  糊代片
２  上側片
２ａ  重合片
３  蓋片
４  下側片
４ａ  重合片
５  蓋閉片
６  掛止突片
７  スリット
１１  側面片
１１ａ  第１斜面
１１ｂ  第２斜面
１２  上面片
１２ａ  重合部分
１３  下面片
１３ａ  重合部分
１４，１５  重合片
１６  掛止片
１７  掛止孔
１８  縁部カバー片
１８ａ  係止片
１８ｂ  切欠
１９  縁部カバー片
１９ａ  係止片
２１  先端カバー片
２１ａ  係止孔
２１ｂ  係止片
２１ｃ  スリット
Ａ，Ｂ，Ｃ，Ｄ，Ｅ，Ｆ  折目
Ｇ  平行折目
Ｈ，Ｊ，Ｋ，Ｌ，Ｍ  折目
ｄ  下縁側
ｅ  仮想線
ｆ  コ字形切れ目
ｇ，ｈ，ｍ  切れ目
【図１】
2006219156.tif 000003
【図２】
2006219156.tif 000004
【図３】
2006219156.tif 000005
【図４】
2006219156.tif 000006
【図５】
2006219156.tif 000007
【図６】
2006219156.tif 000008
【図７】
2006219156.tif 000009
【図８】
2006219156.tif 000010
【図９】
2006219156.tif 000011
【図１０】
2006219156.tif 000012